(57)【特許請求の範囲】
【請求項１】
端末と基地局間でデータを拡散コードで拡散、逆拡散して送受信が行われるＣＤＭＡにおける並列伝送システムにおいて、
符号化され、複数に分配され、それぞれ符号化率が可変にされた同一データを複数の異なる拡散コードで拡散し複数経路で基地局にシングル拡散コード伝送と同等の送信電力で送信する端末送受信部と、
前記端末からの受信信号を前記複数の拡散コードで逆拡散して得た各前記同一データを合成する基地局送受信部と、
前記基地局送受信部から各前記同一データを受信した時の回線品質情報を前記端末送受信に送信し前記端末送受信部では前記基地局送受信部から受信した回線品質情報に基づき拡散又は逆拡散を行う拡散コードの数を決定し決定された拡散コード数に応じた同一データの分配を行うよう拡散コード数を閉ループ制御する拡散コード数制御部とを備えることを特徴とするＣＤＭＡにおける並列伝送システム。
【請求項２】
前記端末送受信部には複数のレートマッチング部、前記基地局送受信部には複数のレートデマッチング部が設けられ、各前記レートマッチング部、各前記レートデマッチング部は拡散コード毎に各前記同一データの入力データ列に対して異なるレートマッチング、レートデマッチングを行い、符号化率を可変にすることを特徴とする、請求項１に記載のＣＤＭＡにおける並列伝送システム。
【請求項３】
各前記レートマッチング部は、拡散コード毎に各同一データの入力データ列の異なるビットに対してリピティション又はパンクチャリングを行い、各前記レートデマッチング部は各前記レートマッチング部によりリピティション又はパンクチャリングされた各同一データの入力データ列のビットを元に戻すことを特徴とする、請求項２に記載のＣＤＭＡにおける並列伝送システム。
【請求項４】
前記端末送受信部には複数のインタリーブ部、前記基地局送受信部には複数のデインタリーブ部が設けられ、各前記インタリーブ部は拡散コード毎に各同一データの入力データ列に対して異なるインタリーブパターンでインタリーブを行い、各前記デインタリーブ部は各前記インタリーブ部でインタリーブされた各同一データの入力データ列を元に戻すことを特徴とする、請求項１に記載のＣＤＭＡにおける並列伝送システム。
【請求項５】
前記端末送受信部では、各前記同一データの拡散又は逆拡散を行う拡散コード数Ｎ＋１に対して１拡散コード当たりの送信電力は、前記シングル拡散コード伝送に関する送信電力の１／（Ｎ＋１）にすることを特徴とする、請求項１に記載のＣＤＭＡにおける並列伝送システム。
【請求項６】
端末と基地局間でデータを拡散コードで拡散、逆拡散して送受信が行われるＣＤＭＡにおける並列伝送システムにおいて、
前記端末で送信すべき同一データを複数に分配する分配処理部と、
分配された各前記同一データに異なるレートマッチングを行う複数のレートマッチング部と、
レートマッチングされた各前記同一データに異なるインタリーブを行う複数のインタリーブ部と、
インタリーブされた各前記同一データを送信するために異なる拡散コードで拡散処理を行う複数の拡散処理部と、
前記分配処理部の分配数、前記拡散処理部の拡散コード数を回線品質に応じて決定し、決定した前記拡散コード数のデータを拡散して前記基地局にシングル拡散コード伝送と同等の送信電力で送信させるための拡散コード数決定部と、
前記基地局で受信信号を前記拡散処理部の前記拡散コードで各前記同一データに逆拡散処理する逆拡散処理部と、
逆拡散処理で得られた各前記同一データのデインタリーブを行う複数のデインタリーブ部と、
デインタリーブされた各前記同一データのレートデマッチングを行う複数のレートデマッチング部と、
レートデマッチングされた各前記同一データを合成処理する合成処理部と、
各前記同一データを受信した時の回線品質を測定して、測定した回線品質の情報を拡散処理して前記端末の前記拡散コード数決定部に送信させるための回線品質測定部と、
受信信号を逆拡散して得た、決定された前記拡散コード数を判定し、判定した前記拡散コード数だけ前記デインタリーブの処理、前記レートデマッチングの処理を行わせる拡散コード数判定部とを備えることを特徴とするＣＤＭＡにおける並列伝送システム。
【請求項７】
端末と基地局間でデータを拡散コードで拡散、逆拡散して送受信が行われるＣＤＭＡにおける並列伝送方法において、
符号化され、複数に分配され、それぞれ符号化率が可変にされた同一データを複数の異なる拡散コードで拡散し複数経路で基地局にシングル拡散コード伝送と同等の送信電力で送信する工程と、
前記端末からの受信信号を前記複数の拡散コードで逆拡散して得た各前記同一データを合成する工程と、
前記基地局から各前記同一データを受信した時の回線品質情報を前記端末に送信し前記端末では前記基地局から受信した回線品質情報に基づき拡散又は逆拡散を行う拡散コードの数を決定し決定された拡散コード数に応じた同一データの分配を行うように拡散コード数閉ループ制御する工程とを備えることを特徴とするＣＤＭＡにおける並列伝送システム。
【発明の詳細な説明】
【０００１】
【産業上の利用分野】
本発明は、ＣＤＭＡ（Ｃｏｄｅ  Ｄｉｖｉｓｉｏｎ  Ｍｕｌｔｉｐｌｅ  Ａｃｃｅｓｓ）における並列伝送システムに関する。特に、本発明は、バースト誤りに対して回線品質を高めると同時に符号化率の可変時に増大するパンクチャリング率に起因する伝送信号の品質劣化の防止を可能にするＣＤＭＡにおける並列伝送システム及び方法に関する。
【０００２】
【従来の技術】
通常、端末と基地局の間では、上記ＣＤＭＡのシングルコード伝送又はマルチコード伝送が行われ、同一データが１つの経路で伝送されている。
従来技術として、例えば、特開平９−３２１６６５号公報にはＣＤＭＡの並列伝送システムが開示されている。
【０００３】
上記公報では、品質信号に応じてｎ種類の拡散符号を決定し、さらに、伝送すべき情報信号をｎ個に分割し、分割した情報信号に上記拡散符号をそれぞれ乗じることが開示されている。
上記公報の例でも、分割された情報信号がマルチコードにより並列伝送されているが、同一データは１つの経路で伝送されている。
【０００４】
【発明が解決しょうとする課題】
しかしながら、上記並列伝送の従来技術では、同一データに対して１つの経路のため、バースト誤りが発生すると、情報の一部に劣化が生じるという問題がある。
さらに、上記ＣＤＭＡの符号化率を可変にする場合には、パンクチャリングが採用される。
【０００５】
しかしながら、パンクチャリング率が増大すると、伝送信号の品質劣化が発生するという問題がある。
したがって、本発明は上記問題点に鑑みて、バースト誤りに起因し、パンクチャリングの増大に起因する伝送信号の品質劣化の防止を可能にするＣＤＭＡにおける並列伝送システム及び方法を提供することを目的とする。
【０００６】
【課題を解決するための手段】
本発明は前記問題点を解決するために、端末と基地局間でデータを拡散コードで拡散、逆拡散して送受信が行われるＣＤＭＡにおける並列伝送システムにおいて、符号化され、複数に分配され、それぞれ符号化率が可変にされた同一データを複数の異なる拡散コードで拡散し複数経路で基地局にシングル拡散コード伝送と同等の送信電力で送信する端末送受信部と、前記端末からの受信信号を前記複数の拡散コードで逆拡散して得た各前記同一データを合成する基地局送受信部と、前記基地局送受信部から各前記同一データを受信した時の回線品質情報を前記端末送受信に送信し前記端末送受信部では前記基地局送受信部から受信した回線品質情報に基づき拡散又は逆拡散を行う拡散コードの数を決定し決定された拡散コード数に応じた同一データの分配を行うよう拡散コード数を閉ループ制御する拡散コード数制御部とを備えることを特徴とするＣＤＭＡにおける並列伝送システムを提供する。
【０００７】
この手段により、同一の情報データを複数の経路で送信することにより、ダイバーシティ効果が得られるようになり、バースト誤りに起因して、伝送信号が品質劣化するのを防止することが可能になる。また、回線品質が良いほど並列伝送を行うための拡散コード数を少なくできるので、処理量の低減、消費電力の低減が可能になる。
【０００８】
好ましくは、前記端末送受信部には複数のレートマッチング部、前記基地局送受信部には複数のレートデマッチング部が設けられ、各前記レートマッチング部、各前記レートデマッチング部は拡散コード毎に各前記同一データの入力データ列に対して異なるレートマッチング、レートデマッチングを行い、符号化率を可変にする。さらに、好ましくは、各前記レートマッチング部は、拡散コード毎に各同一データの入力データ列の異なるビットに対してリピティション又はパンクチャリングを行い、各前記レートデマッチング部は各前記レートマッチング部によりリピティション又はパンクチャリングされた各同一データの入力データ列のビットを元に戻す。
この手段により、符号化率を可変にでき、パンクチャリングの増大に起因する伝送信号の品質劣化の防止が可能になる。
【０００９】
好ましくは、前記端末送受信部には複数のインタリーブ部、前記基地局送受信部には複数のデインタリーブ部が設けられ、各前記インタリーブ部は拡散コード毎に各同一データの入力データ列に対して異なるインタリーブパターンでインタリーブを行い、各前記デインタリーブ部は各前記インタリーブ部でインタリーブされた各同一データの入力データ列を元に戻す。
この手段のインタリーブによりバースト誤りに対する耐性を上げることが可能になる。
好ましくは、前記端末送受信部では、各前記同一データの拡散又は逆拡散を行う拡散コード数Ｎ＋１に対して１拡散コード当たりの送信電力は、前記シングル拡散コード伝送に関する送信電力の１／（Ｎ＋１）にする。
この手段により、通常のシングル拡散コード伝送と干渉量が同等になる。
【００１０】
さらに、本発明は、端末と基地局間でデータを拡散コードで拡散、逆拡散して送受信が行われるＣＤＭＡにおける並列伝送システムにおいて、前記端末で送信すべき同一データを複数に分配する分配処理部と、分配された各前記同一データに異なるレートマッチングを行う複数のレートマッチング部と、レートマッチングされた各前記同一データに異なるインタリーブを行う複数のインタリーブ部と、インタリーブされた各前記同一データを送信するために異なる拡散コードで拡散処理を行う複数の拡散処理部と、前記分配処理部の分配数、前記拡散処理部の拡散コード数を回線品質に応じて決定し、決定した前記拡散コード数のデータを拡散して前記基地局にシングル拡散コード伝送と同等の送信電力で送信させるための拡散コード数決定部と、前記基地局で受信信号を前記拡散処理部の前記拡散コードで各前記同一データに逆拡散処理する逆拡散処理部と、逆拡散処理で得られた各前記同一データのデインタリーブを行う複数のデインタリーブ部と、デインタリーブされた各前記同一データのレートデマッチングを行う複数のレートデマッチング部と、レートデマッチングされた各前記同一データを合成処理する合成処理部と、各前記同一データを受信した時の回線品質を測定して、測定した回線品質の情報を拡散処理して前記端末の前記拡散コード数決定部に送信させるための回線品質測定部と、受信信号を逆拡散して得た、決定された前記拡散コード数を判定し、判定した前記拡散コード数だけ前記デインタリーブの処理、前記レートデマッチングの処理を行わせる拡散コード数判定部とを備えることを特徴とするＣＤＭＡにおける並列伝送システムを提供する。
この手段により、同一の情報データを複数の経路で送信することにより、ダイバーシティ効果が得られるようになり、バースト誤りに起因して、伝送信号が品質劣化するのを防止することが可能になり、回線品質が良いほど並列伝送を行うための拡散コード数を少なくしたので、処理量の低減、消費電力の低減が可能になり、さらに、パンクチャリングの増大に起因する伝送信号の品質劣化の防止が可能になり、さらに、インタリーブによりバースト誤りに対する耐性を上げることが可能になる。
【００１１】
さらに、本発明は、端末と基地局間でデータを拡散コードで拡散、逆拡散して送受信が行われるＣＤＭＡにおける並列伝送方法において、符号化され、複数に分配され、それぞれ符号化率が可変にされた同一データを複数の異なる拡散コードで拡散し複数経路で基地局にシングル拡散コード伝送と同等の送信電力で送信する工程と、前記端末からの受信信号を前記複数の拡散コードで逆拡散して得た各前記同一データを合成する工程と、前記基地局から各前記同一データを受信した時の回線品質情報を前記端末に送信し前記端末では前記基地局から受信した回線品質情報に基づき拡散又は逆拡散を行う拡散コードの数を決定し決定された拡散コード数に応じた同一データの分配を行うように拡散コード数閉ループ制御する工程とを備えることを特徴とするＣＤＭＡにおける並列伝送システムを提供する。
【００１２】
この手段により、同一の情報データを複数の経路で送信することにより、ダイバーシティ効果が得られるようになり、バースト誤りに起因して、伝送信号が品質劣化するのを防止することが可能になり、回線品質が良いほど並列伝送を行うための拡散コード数を少なくしたので、処理量の低減、消費電力の低減が可能になる。
【００１３】
【発明の実施の形態】
以下、本発明の実施の形態について図面を参照して説明する。
図１は本発明に係るＣＤＭＡにおける並列伝送システムの端末側送受信部の概略構成を示すブロック図である。
本図に示すように、基地局と送受信を行う端末の端末側送受信部２０の送信部にはＣＲＣ（Ｃｙｃｌｉｃ  Ｒｅｄｕｎｄａｎｃｙ  Ｃｈｅｃｋ）付加部２１が設けられ、ＣＲＣ付加部２１はＣＲＣを付加することにより情報データを符号化する。
【００１４】
ＣＲＣ付加部２１の出力側にはチャンネルコーディング部２２が接続され、チャンネル符号化（Ｃｈａｎｎｅｌ  ｃｏｄｉｎｇ）部２２は符号化された情報データを畳み込み符号又はターボ（Ｔｕｒｂｏ）符号等によりチャンネル符号化する。
チャンネル符号化部２２の出力側には分配処理部２３が接続され、分配処理部２３はチャンネル符号化された同一の上記情報データをコード数（Ｎ＋１）に分配して、同一の情報データを複数の経路で送信することにより、ダイバーシティ効果が得られるようにする。
【００１５】
分配処理部２３の出力側には複数のレートマッチング（Ｒａｔｅ  Ｍａｔｃｈｉｎｇ）部２４−０〜２４−Ｎが接続され、レートマッチング部２４−０〜２４−Ｎは、分配処理部２３によりＮ個に分配された同一の上記情報データをそれぞれ入力し、入力された情報データ列のリピティション（Ｒｅｐｅｔｉｔｉｏｎ）又はパンクチャリング（Ｐｕｎｃｔｕｒｉｎｇ）によるレートマッチングを行い、これにより符号化率を可変にし、無線区間に伝送できるビット数に調節する。
【００１６】
レートマッチング部２４−０〜２４−Ｎの出力側にはインタリーブ（Ｉｎｔｅｒｌｅａｖｅ）部２５−０〜２５−Ｎがそれぞれ接続され、インタリーブ部２５−０〜２５−Ｎは、レートマッチングされた上記情報データをそれぞれ入力し、入力した上記情報データのビットを異なるインタリーブパターンで入れ替えるインタリーブによりバースト誤りに対する耐性を上げる。
【００１７】
インタリーブ部２５−１〜２５−Ｎの出力側にはマッピング（Ｍａｐｐｉｎｇ）部２６−０〜２６−Ｎがそれぞれ接続され、マッピング部２６−０〜２６−Ｎはインタリーブされた上記情報データをそれぞれ入力し、入力した上記情報データを所定のフォーマットでＤＰＤＣＨ（Ｄｅｄｉｃａｔｅｄ  Ｐｈｙｓｉｃａｌ  Ｄａｔａ  Ｃｈａｎｎｅｌ）１〜Ｎの物理チャンネルにマッピングし、送信データＤＰＤＣＨ６１−０〜６１−Ｎを出力する。
【００１８】
マッピング部２６−０〜２６−Ｎの出力側には拡散処理部２７−０〜２７−Ｎがそれぞれ接続され、拡散処理部２７−０〜２７−Ｎは相互に異なる拡散コード０〜Ｎをそれぞれ有し、送信データＤＰＤＣＨ６１−０〜６１−Ｎをそれぞれ入力し、入力した送信データＤＰＤＣＨ６１−０〜６１−Ｎを異なる拡散コード０〜Ｎで拡散処理して送信する。
【００１９】
なお、端末側送受信部２０の送信電力は、通常のシングル拡散コード伝送と干渉量を同等にするため、１拡散コード当たりの送信電力は１／（Ｎ＋１）とする。
分配処理部２３の入力側には拡散コード数決定部２８が接続され、拡散コード数決定部２８は、コード数（Ｎ＋１）を決定し、分配処理部２３に拡散コード数（Ｎ＋１）を出力する。
【００２０】
並列伝送によって処理量、消費電力が増加するのを避けるために、処理量削減、消費電力削減を考慮して、レートマッチング部２４−０〜２４−Ｎ以降の処理は、拡散コード数決定部２８で決定された拡散コード数分だけ行われるようにしてある。
すなわち、回線品質が良いほど並列伝送を行うための拡散コード数を少なくするような制御が行われる。
【００２１】
拡散コード数（Ｎ＋１）は、端末側送受信部２０と基地局間で形成される閉ループ（Ｃｌｏｓｅｄ  Ｌｏｏｐ）の適応制御により、基地局で受信された回線品質情報に基づいて、以下のように、決定される。
拡散コード数決定部２８の出力側にはＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）多重部２９が接続され、ＴＦＣＩ多重部２９は、拡散コード数決定部２８から拡散コード数（Ｎ＋１）を入力し、入力した拡散コード数（Ｎ＋１）をＤＰＣＣＨ（ＤｅｄｉｃａｔｅｄＰｈｙｓｉｃａｌ  Ｃｏｎｔｏｒｏｌ  Ｃｈａｎｎｅｌ）のＴＦＣＩ部の情報に変換し多重する。
【００２２】
ＴＦＣＩ多重部２９には拡散処理部３０が接続され、拡散処理部３０はＴＦＣＩ多重部２９から入力した送信データＤＰＣＣＨ６２を拡散処理して送信する。さらに、端末側送受信部２０には逆拡散処理部３１が設けられ、逆拡散処理部３１は基地局からの受信信号を逆拡散処理し、受信データＤＰＣＣＨ６３を出力する。
【００２３】
逆拡散処理部３１の出力側には回線品質情報抽出部３２が接続され、回線品質情報抽出部３２は逆拡散処理部３１から入力した受信データＤＰＣＣＨ６３から回線品質情報を抽出し、拡散コード数決定部２８に出力する。
図２は本発明に係るＣＤＭＡにおける並列伝送システムの基地局側送受信部の概略構成を示すブロック図である。
【００２４】
本図に示すように、端末と送受信を行う基地局の基地局側送受信部４０の受信部には、逆拡散処理部４８が設けられ、逆拡散処理部４８は、端末側送受信部２０の送信部の拡散処理部３０からの送信データＤＰＣＣＨ６２を逆拡散処理して、受信データＤＰＣＣＨ６５を出力する。
逆拡散処理部４８の出力側にはＴＦＣＩ抽出部４９が接続され、ＴＦＣＩ抽出部４９は逆拡散処理部４８から受信データＤＰＣＣＨ６５を入力し、ＤＰＣＣＨのＴＦＣＩ部の情報を復号し出力する。
【００２５】
ＴＦＣＩ抽出部４９の出力側には抽出し拡散コード数判定部５０が接続され、拡散コード数判定部５０は、ＴＦＣＩ抽出部４９から復号されたＤＰＣＣＨのＴＦＣＩ部の情報を入力し、そのフレームに使用されている拡散コード数（Ｎ＋１）を判定する。
並列伝送によって処理量、消費電力が増加するのを避けるために、処理量削減、消費電力削減を考慮して、後述する逆拡散処理部４１−０〜４１−Ｎ以降の処理は、拡散コード数判定部５０で判定された拡散コード数分だけ行われる。
【００２６】
すなわち、回線品質が良いほど並列伝送を行うための拡散コード数を少なくするような制御が行われる。
さらに、逆拡散処理部４８の出力側には回線品質測定部５１が接続され、回線品質測定部５１は受信データＤＰＣＣＨ６５を入力し受信データＤＰＣＣＨ６５のパイロット（Ｐｉｌｏｔ）部から受信ＳＩＲを測定し、回線品質を示す回線品質情報を得る。
【００２７】
回線品質測定部５１の出力側には回線品質情報多重部５２が接続され、回線品質情報多重部５２は回線品質測定部５１から回線品質情報を入力しＤＰＣＣＨに多重して送信データＤＰＣＣＨ６６を出力する。
回線品質情報多重部５２には拡散処理部５３が接続され、拡散処理部５３は回線品質情報多重部５２から送信データＤＰＣＣＨ６６を受信し拡散処理して、送信し、端末側送受信部２０の逆拡散処理部３１に受信データＤＰＣＣＨ６３として受信させる。
【００２８】
さらに、基地局側送受信部４０の受信部には複数の逆拡散処理部４１−０〜４１−Ｎが設けられ、逆拡散処理部４１−０〜４１−Ｎは拡散処理部２７−０〜２７−Ｎから送信される情報データとして送信データＤＰＤＣＨ６１−０〜６１−Ｎを受信しそれぞれの拡散コードによって逆拡散処理し受信データＤＰＤＣＨ６４−０〜６４−Ｎを出力する。
【００２９】
逆拡散処理部４１−０〜４１−Ｎの出力側にはデマッピング部（Ｄｅｍａｐｐｉｎｇ）４２−０〜４２−Ｎがそれぞれ接続され、デマッピング部４２−０〜４２−Ｎは受信データＤＰＤＣＨ６４−０〜６４−Ｎをそれぞれ入力し、デマッピングを行う。
デマッピング部４２−０〜４２−Ｎの出力側にはデインタリーブ（Ｄｅｉｎｔｅｒｌｅａｖｅ）部４３−０〜４３−Ｎがそれぞれ接続され、デインタリーブ部４３−０〜４３−Ｎはデマッピング部４２−０〜４２−Ｎからそれぞれ入力したデータについて、それぞれ拡散コード毎に異なったデインタリーブパターンでデンインタリーブを行う。
【００３０】
すなわち、インタリーブ部２５−０〜２５−Ｎのそれぞれで使用されたインタリーブパターンがデインタリーブパターンとして用いられる。
デインタリーブ部４３−０〜４３−Ｎの出力側にはレートデマッチング（Ｒａｔｅ  Ｄｅｍａｔｃｈｉｎｇ）部４４−０〜４４−Ｎがそれぞれ接続され、レートデマッチング部４４−０〜４４−Ｎはデインタリーブ部４３−０〜４３−Ｎからそれぞれ入力したデータについて、それぞれ拡散コード毎に異なったレートデマッチパターンでレートデマッチングを行う。
【００３１】
レートデマッチング部４４−０〜４４−Ｎの出力側には軟判定合成処理部４５が接続され、軟判定合成処理部４５はレートデマッチング部４４−０〜４４−Ｎからのデータを入力し、拡散コード数判定部５０で判定された拡散コード数に基づくそれぞれの拡散コードで復号したデータについて軟判定合成し、分配して送信された同一の情報データを合成する。
【００３２】
軟判定合成処理部４５にはチャンネル復号化（Ｃｈａｎｎｅｌ  Ｄｅｃｏｄｉｎｇ）部４６が接続され、チャンネル復号化部４６は軟判定合成処理部４５からのデータを入力し、畳み込み復号又はターボ（Ｔｕｒｂｏ）復号によりチャンネル復号処理を行う。
チャンネル復号化部４６にはＣＲＣチェック部４７が接続され、ＣＲＣチェック部４７はチャンネル復号化部４６からのデータを入力し、ＣＲＣチェックを行う。
【００３３】
図３は図１における端末側送受信部２０の拡散コード数決定部２８による拡散コード数の決定を説明する図である。
本図に示すように、端末側送受信部２０の拡散コード数決定部２８は、回線品質劣化と拡散コード数Ｎ＋１の関係データを保持する。拡散コード数決定部２８は、保持する関係データに基づいて、基地局側送受信部４０から送信される回線品質をパラメータとして、拡散コード数を決定する。
【００３４】
このようにして、回線品質に応じて、同一のデータを並列に伝送する経路数を決定し又は判定する。
前述のように、レートマッチング数、インタリーブ数は、決定された拡散コード数と同一になるように設定され、さらに、決定された拡散コード数は基地局側送受信部４０に送信される。
【００３５】
図４は図１における端末側送受信部２０のレートマッチング、図２における基地局側送受信部４０のレートデマッチングを説明する図である。
本図に示すように、端末側送受信部２０のレートマッチング、基地局側送受信部４０のレートデマッチングにより、可変の符号化率の実現が可能になる。
本図（ａ）に示すように、一例として、拡散コード数がＮ＋１＝２に決定されている場合に、端末側送受信部２０では同一のデータがレートマッチング部２４−０〜２４−１に分配される。６ビットから８ビットへのリピティション（Ｒｅｐｅｔｉｔｉｏｎ）時には、レートマッチング部２４−０の入力データ列に対して、レートマッチング部２４−０の出力データ列のように、ビット「１」と「３」がリピティションされる。
【００３６】
これに対して、基地局側送受信部４０のレートデマッチング部４４−０では、レートマッチング部２４−０でリピティションされたビット「１」、「３」が除去される。
レートマッチング部２４−１の入力データ列に対して、レートマッチング部２４−１の出力データ列のように、ビット「２」と「４」がリピティションされる。
【００３７】
これに対して、レートデマッチング部４４−０では、レートマッチング部２４−０でリピティションされたビット「２」、「４」が除去される。
本図（ｂ）に示すように、１０ビットから８ビットへのパンクチャリング（Ｐｕｎｃｔｕｒｉｎｇ）時には、レートマッチング部２４−０の入力データ列に対して、レートマッチング部２４−０の出力データ列のように、ビット「１」と「５」がパンクチャリングされる。
【００３８】
これに対して、レートデマッチング部４４−０では、レートマッチング部２４−０でパンクチャリングされたビット「１」、「５」が挿入されるが、不定（Ｄで示されている）となる。
レートマッチング部２４−１の入力データ列に対して、レートマッチング部２４−１の出力データ列のように、ビット「２」と「６」がパンクチャリングされる。
【００３９】
これに対して、レートデマッチング部４４−１では、レートマッチング部２４−１でパンクチャリングされたビット「２」、「６」が挿入されるが、不定（Ｄで示されている）となる。
本図（ｃ）に示すように、レートデマッチング部４４−０〜４４−１の出力データ列を軟判定合成した後には不定なビットは消滅する。
【００４０】
拡散コード毎に異なるビットがパンクチャリングされるようなレートマッチングパターンが使用されるため、上記のように、レートデマッチング部４４−０〜４４−１の出力データ列に不定となるビットがあっても、軟判定合成した後には不定となるビットがなくなる。
図５は図１における端末側送受信部２０のインタリーブ、図２における基地局側送受信部４０のデインタリーブを説明する図である。
【００４１】
上記のように、一例として、拡散コード数がＮ＋１＝２に決定されている場合に、本図（ａ）に示すように、端末側送受信部２０のインタリーブ部２５−０の入力データ列（０１２３４５６７）に対して、インタリーブ部２５−０の出力データ列が（０４２６１５３７）となるようなインタリーブパターンでインタリーブが行われる。
【００４２】
本図（ｂ）に示すように、端末側送受信部２０のインタリーブ部２５−１の入力データ列（０１２３４５６７）に対して、インタリーブ部２５−１の出力データ列が（７３５１６２４０）となるようなインタリーブパターンでインタリーブが行われる。
このように、インタリーブ部２５−０〜２５−１では異なるインタリーブパターンでインタリーブが行われる。
【００４３】
本図（ａ）、（ｂ）に示すように、基地局側送受信部４０のデインタリーブ部４３−０〜４３−１では、インタリーブ部２５−０、２５−１でそれぞれ使用されたインタリーブパターン（０４２６１５３７）、（７３５１６２４０）でデインタリーブが行われる。
図６は端末側送受信部２０と基地局側送受信部４０間で送受信される無線フレーム構成例を説明する図である。
【００４４】
本図に示すように、無線フレームは、周期Ｔｓｕｐｅｒ＝２５６０ｍｓのスーパフレームであり、それぞれが周期Ｔｆ＝１０ｍｓであるフレーム＃０〜フレーム＃２５５で構成される。
さらに、各フレームは、それぞれが周期Ｔｓ＝０．６６６ｓｍであるスロット＃０〜スロット＃１４で構成される。
【００４５】
各スロットは、ＤＰＤＣＨ＃０〜ＤＰＤＣＨ＃Ｎ、ＤＰＣＣＨで構成される。各ＤＰＤＣＨはＮｄａｔａビットのデータで構成され、分配された同一データの送受信に使用される。
ＤＰＣＣＨはＮｐｉｌｏｔビットのＰｉｌｏｔ、ＮＴＦＣＩビットのＴＦＣＩで構成され、決定した拡散コード数、回線品質の情報の送受信に使用される。
以上の説明では、端末を送信側、基地局を受信側としたが、この逆に、端末を受信側、基地局を送信側としてもよい。
【００４６】
【発明の効果】
以上説明したように、本発明によれば、同一データを複数に分配し、分配された各同一データを異なる拡散コードで拡散して送信し、受信信号を拡散コードで逆拡散して得た各同一データを合成し、各同一データを送受信した時の回線品質に応じて、複数に分配された各同一データの拡散又は逆拡散を行う拡散コード数を閉ループ制御するようにしたので、同一の情報データを複数の経路で送信することにより、ダイバーシティ効果が得られるようになり、バースト誤りに起因して、伝送信号が品質劣化するのを防止することが可能になり、回線品質が良いほど並列伝送を行うための拡散コード数を少なくしたので、処理量の低減、消費電力の低減が可能になる。
【００４７】
さらに、拡散コード毎に異なるレートマッチングパターンの処理を行い、さらに、拡散コード毎に異なるビットでパンクチャリングを行うようにしたので、符号化率を可変にでき、パンクチャリングの増大に起因する伝送信号の品質劣化の防止が可能になる。
さらに、拡散コード毎に異なるインタリーブを行うようにしたので、インタリーブによりバースト誤りに対する耐性を上げることが可能になる。
【図面の簡単な説明】
【図１】本発明に係るＣＤＭＡにおける並列伝送システムの端末側送受信部の概略構成を示すブロック図である。
【図２】本発明に係るＣＤＭＡにおける並列伝送システムの基地局側送受信部の概略構成を示すブロック図である。
【図３】図１における端末側送受信部２０の拡散コード数決定部２８による拡散コード数の決定を説明する図である。
【図４】図１における端末側送受信部２０のレートマッチング、図２における基地局側送受信部４０のレートデマッチングを説明する図である。
【図５】図１における端末側送受信部２０のインタリーブ、図２における基地局側送受信部４０のデインタリーブを説明する図である。
【図６】端末側送受信部２０と基地局側送受信部４０間で送受信される無線フレーム構成例を説明する図である。
【符号の説明】
２０…端末側送受信部
２１…ＣＲＣ付加部
２２…チャンネル符号化部
２３…分配処理部
２４−０〜２４−Ｎ…レートマッチング部
２５−０〜２５−Ｎ…インタリーブ部
２６−０〜２６−Ｎ…マッピング部
２７−０〜２７−Ｎ、３０、５３…拡散処理部
２８…拡散コード数決定部
２９…ＴＦＣＩ多重部
３２…回線品質情報抽出部
４０…基地局側送受信部
３１、４１−０〜４１−Ｎ、４８…逆拡散処理部
４２−０〜４２−Ｎ…デマッピング部
４３−０〜４３−Ｎ…デインタリーブ部
４４−０〜４４−Ｎ…レートデマッチング部
４５…軟判定合成処理部
４６…チャンネル復号化部
４７…ＣＲＣチェック部
４９…ＴＦＣＩ抽出部
５０…拡散コード数判定部
５１…回線品質測定部
５２…回線品質情報多重部
６１−０〜６１−Ｎ…送信データＤＰＤＣＨ
６２、６６…送信データＤＰＣＣＨ
６３、６５…受信データＤＰＣＣＨ
６４−０〜６４−Ｎ…受信データＤＰＤＣＨ
【図１】
0003560155.tif 000002
【図２】
0003560155.tif 000003
【図３】
0003560155.tif 000004
【図４】
0003560155.tif 000005
【図５】
0003560155.tif 000006
【図６】
0003560155.tif 000007